(57)【要約】【課題】  吊り下げ式芳香具の香料成分を含有する芳香液が滲み込んだ吊り下げ紐が、自動車のワイパーやウィンカーのレバーなどに吊り下げたとき、吊り下げ紐が接触した樹脂部分にダメージを与える恐れがあった。【解決手段】  香料成分を含有する芳香液を含浸させた厚紙からなる芳香体を吊り下げ紐で自動車の室内に吊り下げて使用する方式の自動車用吊り下げ式芳香具の、芳香体と吊り下げ紐との間に絶縁体を介在させて吊り下げ紐に芳香液が滲み込むことを防止した。【選択図】図２
2019034088.tif 000002
【特許請求の範囲】
【請求項１】
香料成分を含有する芳香液を含浸させた厚紙からなる芳香体を吊り下げ紐で自動車の室内に吊り下げて使用する方式の自動車用吊り下げ式芳香具において、芳香体と吊り下げ紐との間に絶縁体を介在させたことを特徴とする自動車用吊り下げ式芳香具の吊り下げ方法。
【請求項２】
絶縁体は、毛細管現象によって液体が滲み込むこと、または単に液体を吸収することがなく、なおかつ香料成分によるダメージを受けない素材からなることを特徴とする請求項１に記載の自動車用吊り下げ式芳香具の吊り下げ方法。
【請求項３】
絶縁体は、毛細管現象によって液体が滲み込むこと、または単に液体を吸収することがなく、なおかつ香料成分によるダメージを受けない樹脂素材からなることを特徴とする請求項１に記載の自動車用吊り下げ式芳香具の吊り下げ方法。
【請求項４】
絶縁体は、毛細管現象によって液体が滲み込むこと、または単に液体を吸収することがなく、なおかつ香料成分によるダメージを受けないポリエチレン、ポリプロピレン、ナイロン、塩化ビニールの何れかの樹脂素材からなることを特徴とする請求項１に記載の自動車用吊り下げ式芳香具の吊り下げ方法。
【請求項５】
絶縁体は、毛細管現象によって液体が滲み込むこと、または単に液体を吸収することがなく、なおかつ香料成分によるダメージを受けない金属素材からなることを特徴とする請求項１に記載の自動車用吊り下げ式芳香具の吊り下げ方法。
【発明の詳細な説明】
【技術分野】
【０００１】  本発明は、自動車用の芳香具に関し、特に厚紙に芳香液を含浸させた芳香体を紐で自動車の室内に吊り下げて使用する芳香具に関する。
【背景技術】
【０００２】  図８は、従来の自動車用吊り下げ芳香具の使用例を示す図である。表面に様々な柄の印刷を施したり、周囲を様々な形状に抜いたりした２から３ｍｍ程度の厚紙からなる芳香体を、吊り下げ紐でワイパーやウィンカーのレバーなど自動車の室内の適宜場所に吊り下げて使用するものである。実用新案登録第３０６０２８０号（特許文献１）。【０００３】  図９は、このような自動車用吊り下げ式芳香具がパッケージされた状態を示す図である。透明袋に芳香体に吊り下げ紐が接触した状態で入れられて什器に陳列して販売される。
【先行技術文献】
【特許文献】
【０００４】
【特許文献１】実用新案登録第３０６０２８０号公報
【発明の概要】
【発明が解決しようとする課題】
【０００５】  ところで、従来の自動車用吊り下げ芳香具は、図９に示されるように芳香体に吊り下げ紐が接触した状態でパッケージされるので、芳香体に含浸された芳香液が毛細管現象によって吊り下げ紐に滲み込んでしまう。吊り下げ紐は、ナイロンやポリエステルなどの繊維からなる細紐や同様な繊維で被覆されたゴム紐であるのでその一部分であっても全体であっても芳香液が含浸された芳香体に触れることによって毛細管現象によって芳香液が滲み込む。芳香液に含有するジプロピレングリコール、リナロール、β‐シトロネロール、ネロール、テルピネオール、酢酸、ブチルシクロヘキシル、ゲラニオール、ユーカリオイル、ジヒドロミルセノール、リモネン、メチルヘキシルケトン、ミルセンなどの香料成分は、多くの樹脂に対して劣化やクラックなどのダメージを与えることがよく知られている。このため、芳香液が滲み込んだ吊り下げ紐がワイパーやウィンカーのレバーなどの自動車内装の樹脂部分に直接触れることを避けなければならない。しかしながら昨今の自動車内装には金属部分が露呈した部品は少なく多くが樹脂で被覆されている。このためどうしても樹脂部分に吊り下げざるを得ないことになり、一旦レバーなどの樹脂部分に吊り下げた芳香具は、少なくとも芳香が持続する限り長期にわたって使用されることが多い。そのため、芳香液が滲み込んだ吊り下げ紐がレバーなどの樹脂部分に長期にわたって接触し続けて樹脂部分に劣化やクラックなどダメージを与える可能性がある。【０００６】  そこで本発明は、芳香体である厚紙に芳香液を含浸させた芳香具の吊り下げ紐に、厚紙に含浸された芳香液が毛細管現象によって滲み込むことを防止し、吊り下げた樹脂部分にダメージを与えることのない自動車用吊り下げ式芳香具の吊り下げ方法を提供することを目的とする。
【課題を解決するための手段】
【０００７】  かかる課題を解決するために本発明の請求項１によれば、香料成分を含有する芳香液を含浸させた厚紙からなる芳香体を吊り下げ紐で自動車の室内に吊り下げて使用する方式の自動車用吊り下げ式芳香具において、芳香体と吊り下げ紐との間に絶縁体を介在させたことで解決される。【０００８】  かかる課題を解決するために本発明の請求項２によれば、絶縁体は、毛細管現象によって液体が滲み込むこと、または単に液体を吸収することがなく、なおかつ香料成分によるダメージを受けない素材からなることで解決される。【０００９】  かかる課題を解決するために本発明の請求項３によれば、絶縁体は、毛細管現象によって液体が滲み込むこと、または単に液体を吸収することがなく、なおかつ香料成分によるダメージを受けない樹脂素材からなることで解決される。【００１０】  かかる課題を解決するために本発明の請求項４によれば、絶縁体は、毛細管現象によって液体が滲み込むこと、または単に液体を吸収することがなく、なおかつ香料成分によるダメージを受けないポリエチレン、ポリプロピレン、ナイロン、塩化ビニールの何れかの樹脂素材からなることで解決される。【００１１】  かかる課題を解決するために本発明の請求項５によれば、絶縁体は、毛細管現象によって液体が滲み込むこと、または単に液体を吸収することがなく、なおかつ香料成分によるダメージを受けない金属素材からなることで解決される。
【発明の効果】
【００１２】  本発明によれば、香料成分を含有する芳香液を含浸させた厚紙からなる芳香体を吊り下げ紐で自動車の室内に吊り下げて使用する方式の芳香具において、芳香体と吊り下げ紐との間に毛細管現象によって液体が滲み込んだり、液体を吸収することがない絶縁体を介在させたので、芳香体に含浸された香料を含有する芳香液が吊り下げ紐に滲み込むことを防止し、吊り下げた部分の樹脂にダメージを与えることがなくなった。
【図面の簡単な説明】
【００１３】
【図１】本発明の自動車用吊り下げ芳香具の使用例を示す図である。
【図２】絶縁体の形態例を示す図である。
【図３】絶縁体の形態例を示す図である。
【図４】絶縁体の形態例を示す図である。
【図５】絶縁体の形態例を示す図である。
【図６】絶縁体の形態例を示す図である。
【図７】本発明の自動車用吊り下げ芳香具のパッケージ例を示す説明図である。
【図８】従来の自動車用吊り下げ芳香具の使用例を示す図である。
【図９】従来の自動車用吊り下げ芳香具のパッケージ例を示す説明図である。
【発明を実施させるための形態】
【実施例】
【００１４】  本発明の自動車用芳香具に吊り下げ方法の実施例について、図面を参照して詳細に説明する。図１は、本発明の自動車用吊り下げ式芳香具の使用例を示す図である。図１においては、自動車用吊り下げ式芳香具の吊り下げ場所として、ステアリングコラムにあるワイパーやウィンカーなどのレバー（４）に吊り下げた状態で図示したが、自動車室内の適宜場所であれば吊り下げ場所を特に限定するものではない。芳香具本体（１）は、芳香体（１ａ）、開孔部（１ｂ）、吊り下げ紐（１ｃ）、絶縁体（２）とから構成される。なお、本発明における「絶縁体」について説明する。「絶縁体」とは本来電気を通さない物質の総称であるが、本発明においての「絶縁体」とは、液体を通さない物質であると定義する。すなわち毛細管現象によって液体が滲み込んだり、単に液体を吸収したりする物質ではないものである。【００１５】  図２乃至図６は絶縁体（２）の形態例を示した図である。なお、絶縁体（２）の形態は、芳香体（１ａ）と吊り下げ紐（１ｃ）との間に絶縁体（２）を介在させて、芳香体（１）と吊り下げ紐（１ｃ）とが互いに絶縁状態となればよいので、その形態を限定するものではなくあらゆる形態が想定されるものである。図２乃至図６は、その形態のいくつかの例を示したに過ぎない。【００１６】  また、絶縁体（２）は、前述したように液体を通さない物質、すなわち毛細管現象によって液体が滲み込んだり、単に液体を吸収したりすることがない。また、芳香液に含まれる香料成分による樹脂に対してダメージを与えない素材から形成される。このような特性を持つ素材であれば素材を樹脂、金属、その他など特に限定するものではないが、例えば、ポリエチレン、ポリプロピレン、ナイロン、塩化ビニールなどの樹脂素材であれば、容易な成形、低コストなどの観点から最も好適に用いられる。【００１７】  図２においては、前述したように芳香具本体（１）は、芳香体（１ａ）、開孔部（１ｂ）、吊り下げ紐（１ｃ）、絶縁体（２）とから構成され、芳香体（１ａ）は、表面に様々な柄の印刷を施したり、周囲を様々な形状に抜いたりした２から３ｍｍ程度の厚紙からなり、香料成分を含む芳香液が含浸されている。吊り下げ紐（１ｃ）は、ナイロンやポリエステルなどの繊維からなる細紐や同様な繊維で被覆されたゴム紐などである。【００１８】  そして絶縁体（２）は、芳香体（１ａ）と吊り下げ紐（１ｃ）との間に介在させて両者が接触しないように絶縁したので、芳香体（１）の芳香液が吊り下げ紐（１ｃ）に毛細管現象によって滲み込むことを防止することが可能となった。図２に示された絶縁体（２）は、上部に紐通し孔（２ａ）を開孔、下部にフック部（２ｂ）を形成した。紐通し孔（２ａ）には吊り下げ紐（１ｃ）を装着し、フック部（２ｂ）には、芳香体（１ａ）の上部に開孔された開孔部（１ｂ）に引っ掛けて芳香具本体（１）として構成される。【００１９】  図３に示された絶縁体（２）は、ドーナツ状で開孔部（１ｂ）の表と裏から挟み込んでとめるように構成して、芳香体（１ａ）と吊り下げ紐（１ｃ）との間に介在させたものである。【００２０】  図４に示した絶縁体（２）は、フレーム状で芳香体（１ａ）の周囲を取り囲み、上部には紐通し孔（���ｂ）を備えて構成して、芳香体（１ａ）と吊り下げ紐（１ｃ）との間に介在させたものである。なお、絶縁体（２）の芳香体（１ａ）への装着方法は、フレーム状の絶縁体（２）の内側の溝（図示せず）に嵌め込んで（弾性圧入）装着する。なお、この形態の場合、芳香体（１ａ）に開孔部（１ｂ）を開孔する必要はない。【００２１】  図５に示した絶縁体（２）は、クリップ状で芳香体（１ａ）の上部に挟んで装着するように構成して、芳香体（１ａ）と吊り下げ紐（１ｃ）との間に介在させたものである。なお、この形態の場合、芳香体（１ａ）に開孔部（１ｂ）を開孔する必要はない。【００２２】  図６に示した絶縁体（２）は、チューブ状で吊り下げ紐（１ｃ）の芳香体（１ａ）と接触する開孔部（１ｂ）部分に挿通して、芳香体（１ａ）と吊り下げ紐（１ｃ）との間に介在させたものである。【００２３】  図７は、本発明の自動車用吊り下げ芳香具のパッケージ例を示す説明図である。上述のように本発明の自動車用吊り下げ式芳香具の吊り下げ方法においては、絶縁体（２）を芳香体（１ａ）と吊り下げ紐（１ｃ）との間に介在させたことで、芳香体（１）に含浸した芳香液が吊り下げ紐（１ｃ）に滲み込むことを防止したのであるが、図９に示されるように芳香体（１ａ）に吊り下げ紐（１ｃ）が接触した状態でパッケージされるのでは、結局吊り下げ紐（１ｃ）に芳香液が滲み込んでしまい元も子もない。そこで、芳香体（１ａ）と絶縁体（２）付きの吊り下げ紐（１ｃ）を分離してパッケージすることでこの点は解決される。図７に示されるパッケージ例では、透明袋（３ａ）を収容部Ａ（３ａ−１）と収容部Ｂ（３ａ−２）にヒートシールすることで分離した。収容部Ａ（３ａ−１）には、芳香体（１ａ）、収容部Ｂ（３ａ−２）には、絶縁体（２）付きの吊り下げ紐（１ｃ）を収容して両者の接触を避ける。図７では、透明袋（３ａ）を収容部Ａ（３ａ−１）と収容部Ｂ（３ａ−２）とにヒートシールして分離したが、透明袋（３ａ）を芳香体（１ａ）と絶縁体（２）付きの吊り下げ紐（１ｃ）とで別々にしてもよいことは言うまでもない。【００２４】  以上のように、芳香体（１ａ）と吊り下げ紐（１ｃ）との間に絶縁体（２）を介在させた自動車用吊り下げ式芳香具の吊り下げ方法としたので、芳香体（１ａ）に含浸された香料を含有する芳香液が毛細管現象によって吊り下げ紐（１ｃ）に滲み込むことを防止し、吊り下げ紐（１ｃ）が接触した樹脂部分にダメージを与えることのない自動車用吊り下げ式芳香具を提供することを可能とした。
【符号の説明】
【００２５】１          芳香具本体
１ａ        芳香体
１ｂ        開孔部
１ｃ        吊り下げ紐
２          絶縁体
２ａ        紐通し孔
２ｂ        フック部
３          パッケージ
３ａ        透明袋
３ｂ        ヘッダー
４          レバー
【図１】
2019034088.tif 000003
【図２】
2019034088.tif 000004
【図３】
2019034088.tif 000005
【図４】
2019034088.tif 000006
【図５】
2019034088.tif 000007
【図６】
2019034088.tif 000008
【図７】
2019034088.tif 000009
【図８】
2019034088.tif 000010
【図９】
2019034088.tif 000011